(57)【要約】  パラメータ設定システムは、乗客コンベヤを制御する制御盤と、乗客コンベヤの制御に関する制御パラメータを前記制御盤に設定する設定装置とを備えている。制御盤は、制御盤記憶部を有している。設定装置は、制御盤記憶部に保存されている制御パラメータの変更履歴の情報を制御盤情報として読み込む読み込み機能部と、制御盤情報に含まれる過去の制御パラメータが、制御盤に設定する設定用パラメータとして保存される設定装置記憶部とを有している。
2017009894.tif 000002
【特許請求の範囲】
【請求項１】
乗客コンベヤを制御する制御盤、及び
乗客コンベヤの制御に関する制御パラメータを前記制御盤に設定する設定装置
を備え、
前記制御盤は、制御盤記憶部を有し、
前記設定装置は、前記制御盤記憶部に保存されている制御パラメータの変更履歴の情報を制御盤情報として読み込む読み込み機能部と、前記制御盤情報に含まれる過去の制御パラメータが、前記制御盤に設定する設定用パラメータとして保存される設定装置記憶部とを有しているパラメータ設定システム。
【請求項２】
複数の前記制御盤
を備え、
前記読み込み機能部は、各前記制御盤記憶部のいずれかに保存されている前記制御盤情報を前記設定装置に読み込み、
前記設定装置記憶部には、前記過去の制御パラメータが、各前記制御盤に設定する共通の前記設定用パラメータとして保存される請求項１に記載のパラメータ設定システム。
【請求項３】
複数の乗客コンベヤを個別に制御する複数の制御盤、及び
乗客コンベヤの制御に関する制御パラメータを各前記制御盤に設定する設定装置
を備え、
各前記制御盤は、制御盤記憶部を有し、
前記設定装置は、各前記制御盤記憶部のいずれかに保存されている制御パラメータの情報を制御盤情報として読み込む読み込み機能部と、前記制御盤情報に含まれる制御パラメータが、各前記制御盤に設定する共通の設定用パラメータとして保存される設定装置記憶部とを有しているパラメータ設定システム。
【請求項４】
前記制御盤及び前記設定装置は、前記制御盤情報及び前記設定用パラメータの情報を無線通信により互いに送受信可能になっている請求項１〜請求項３のいずれか一項に記載のパラメータ設定システム。
【請求項５】
前記複数の制御盤は、前記設定用パラメータの情報を互いに送受信可能になっている請求項２又は請求項３に記載のパラメータ設定システム。
【請求項６】
前記複数の制御盤には、前記設定装置がそれぞれ取り付けられ、
各前記設定装置は、前記設定用パラメータの情報を互いに送受信可能になっている請求項２又は請求項３に記載のパラメータ設定システム。
【請求項７】
乗客コンベヤの制御に関する制御パラメータを制御盤に設定するパラメータ設定方法であって、
前記制御盤の制御盤記憶部に保存されている制御パラメータの変更履歴の情報を制御盤情報として前記制御盤から設定装置に読み込んだ後、前記制御盤情報に含まれる過去の制御パラメータを、前記制御盤に設定する設定用パラメータとして前記設定装置の設定装置記憶部に保存するパラメータ設定方法。
【請求項８】
乗客コンベヤの制御に関する制御パラメータを複数の制御盤に設定するパラメータ設定方法であって、
各前記制御盤の制御盤記憶部のいずれかに保存されている制御パラメータの情報を制御盤情報として前記制御盤から設定装置に読み込んだ後、前記制御盤情報に含まれる制御パラメータを、各前記制御盤に設定する共通の設定用パラメータとして前記設定装置の設定装置記憶部に保存するパラメータ設定方法。
【発明の詳細な説明】
【技術分野】
【０００１】
この発明は、例えばエスカレータ又は動く歩道等の乗客コンベヤを制御する制御盤に制御パラメータを設定するパラメータ設定システム、及びパラメータ設定方法に関するものである。
【背景技術】
【０００２】
従来の乗客コンベヤでは、例えば踏段の速度、乗り込み運転時間等のパラメータを変更するために、変更後のパラメータをポータブル表示装置に手操作で入力し、入力した変更後のパラメータをポータブル表示装置で制御盤に設定する方法が提案されている（特許文献１参照）。
【先行技術文献】
【特許文献】
【０００３】
【特許文献１】特開２００７−１６９０２３号公報
【発明の概要】
【発明が解決しようとする課題】
【０００４】
しかし、特許文献１に示されているポータブル表示装置では、多数のパラメータの値を１つずつ手操作で入力する必要があるので、制御盤のパラメータの変更作業に手間がかかってしまう。【０００５】
また、例えば複数台の乗客コンベヤが同一物件に設置されている場合には、パラメータの変更のために複数の制御盤に対して同じ入力操作を何度も行わなければならず、手間が非常にかかってしまうだけでなく、パラメータの入力間違いが生じたり一部のパラメータを変更し忘れたりするおそれもある。【０００６】
この発明は、上記のような課題を解決するためになされたものであり、乗客コンベヤを制御する制御盤に制御パラメータを設定する作業の手間の軽減化を図ることができるとともに、制御盤に制御パラメータをより正確に設定することができるパラメータ設定システムを得ることを目的とする。
【課題を解決するための手段】
【０００７】
この発明によるパラメータ設定システムは、乗客コンベヤを制御する制御盤、及び乗客コンベヤの制御に関する制御パラメータを制御盤に設定する設定装置を備え、制御盤は、制御盤記憶部を有し、設定装置は、制御盤記憶部に保存されている制御パラメータの変更履歴の情報を制御盤情報として読み込む読み込み機能部と、制御盤情報に含まれる過去の制御パラメータが、制御盤に設定する設定用パラメータとして保存される設定装置記憶部とを有している。【０００８】
また、この発明によるパラメータ設定システムは、複数の乗客コンベヤを個別に制御する複数の制御盤、及び乗客コンベヤの制御に関する制御パラメータを各制御盤に設定する設定装置を備え、各制御盤は、制御盤記憶部を有し、設定装置は、各制御盤記憶部のいずれかに保存されている制御パラメータの情報を制御盤情報として読み込む読み込み機能部と、制御盤情報に含まれる制御パラメータが、各制御盤に設定する共通の設定用パラメータとして保存される設定装置記憶部とを有している。【０００９】
また、この発明によるパラメータ設定方法は、乗客コンベヤの制御に関する制御パラメータを制御盤に設定するパラメータ設定方法であって、制御盤の制御盤記憶部に保存されている制御パラメータの変更履歴の情報を制御盤情報として制御盤から設定装置に読み込んだ後、制御盤情報に含まれる過去の制御パラメータを、制御盤に設定する設定用パラメータとして設定装置の設定装置記憶部に保存する。【００１０】
また、この発明によるパラメータ設定方法は、乗客コンベヤの制御に関する制御パラメータを複数の制御盤に設定するパラメータ設定方法であって、各制御盤の制御盤記憶部のいずれかに保存されている制御パラメータの情報を制御盤情報として制御盤から設定装置に読み込んだ後、制御盤情報に含まれる制御パラメータを、各制御盤に設定する共通の設定用パラメータとして設定装置の設定装置記憶部に保存する。
【発明の効果】
【００１１】
この発明によるパラメータ設定システム、及びパラメータ設定方法によれば、乗客コンベヤを制御する制御盤に制御パラメータを設定するときに、制御盤の制御盤記憶部に保存されている制御パラメータ又は制御パラメータの変更履歴を利用することができる。これにより、制御盤に対する手操作の入力作業が少なくなり、制御盤に制御パラメータを設定する作業の手間の軽減化を図ることができるとともに、制御盤に制御パラメータをより正確に設定することができる。
【図面の簡単な説明】
【００１２】
【図１】この発明の実施の形態１によるエスカレータを示す構成図である。
【図２】図１の制御盤に設定装置が接続されている状態を示す構成図である。
【図３】図２の制御基板及び設定装置を示す構成図である。
【図４】この発明の実施の形態２によるパラメータ設定システムを示す構成図である。
【図５】この発明の実施の形態３によるパラメータ設定システムを示す構成図である。
【図６】この発明の実施の形態４によるパラメータ設定システムを示す構成図である。
【図７】この発明の実施の形態５によるパラメータ設定システムを示す構成図である。
【図８】この発明の実施の形態６によるパラメータ設定システムを示す構成図である。
【発明を実施するための形態】
【００１３】
以下、この発明の好適な実施の形態について図面を参照して説明する。
実施の形態１．
図１は、この発明の実施の形態１によるエスカレータを示す構成図である。図において、下階建築部１と上階建築部２との間には、トラス３が支持されている。トラス３には、無端状に連結された図示しない複数の踏段が支持されている。また、トラス３上には、トラス３の幅方向について対向する一対の欄干４が設けられている。各欄干４には、無端状の移動手摺５がそれぞれ支持されている。
【００１４】
トラス３の長手方向上端部には、上部機械室６が設けられている。上部機械室６には、乗客コンベヤであるエスカレータの運転を制御する制御盤７と、制御盤７の制御により駆動される図示しない駆動機とが設けられている。各踏段は、駆動機の駆動力により下階建築部１と上階建築部２との間で循環移動する。各移動手摺５は、駆動機の駆動力により、欄干４を囲む経路を踏段と同期して周回移動する。
【００１５】
この例では、乗客の有無を検知する人感センサが取り付けられた図示しない乗降口ポールが下階建築部１及び上階建築部２のそれぞれに設置されている。エスカレータの運転モードは、下階建築部１に設置された人感センサが乗客を検知することにより踏段の上昇移動を開始させる自動運転が行われる上昇自動運転モードと、上階建築部２に設置された人感センサが乗客を検知することにより踏段の下降移動を開始させる自動運転が行われる下降自動運転モードとの間で切り替え可能になっている。上昇自動運転モード及び下降自動運転モードのいずれの運転モードでも、人感センサの検知がない状態での自動運転の継続時間が設定時間を超えると、踏段の移動が制御盤７の制御により停止されてエスカレータが待機状態になる。即ち、この例でのエスカレータは、人感センサで乗客を検知すると自動運転を開始し、人感センサが乗客を検知してからの自動運転の継続時間が設定時間を超えると自動で待機状態になるエスカレータになっている。
【００１６】
制御盤７には、エスカレータの制御に関する複数の制御パラメータが設定されている。複数の制御パラメータとしては、例えば踏段の速度、人感センサが乗客を検知してから待機状態になるまでの自動運転の継続時間に対する設定時間、各踏段を連結する踏段チェーンへの給油を行う時間間隔に対する設定時間等のパラメータが挙げられる。制御盤７への各制御パラメータの設定は、設定装置によって実行可能になっている。
【００１７】
図２は、図１の制御盤７に設定装置２１が接続されている状態を示す構成図である。また、図３は、図２の制御基板８及び設定装置２１を示す構成図である。制御盤７は、エスカレータの制御に関する処理を行う制御基板８を有している。制御基板８は、図３に示すように、制御盤記憶部９と、制御盤処理部１０とを有している。
【００１８】
制御盤記憶部９は、エスカレータの運転に用いる現在の複数の制御パラメータが保存されるパラメータ保存部１１と、過去の複数の制御パラメータが制御パラメータの変更履歴として保存される履歴保存部１２とを有している。エスカレータの運転は、パラメータ保存部１１に保存されている制御パラメータの情報に基づいて制御盤７によって制御される。
【００１９】
制御盤処理部１０は、パラメータ保存部１１及び履歴保存部１２に各制御パラメータを保存する書き込み機能部１３と、パラメータ保存部１１及び履歴保存部１２から情報を読み込む読み込み機能部１４とを有している。
【００２０】
パラメータ保存部１１では、新たな制御パラメータがパラメータ保存部１１に保存されることにより、変更前の制御パラメータから新たな制御パラメータに書き換えられる。これにより、制御盤７に設定されている変更前の制御パラメータが新たな制御パラメータに更新される。また、履歴保存部１２では、変更前の制御パラメータが過去の制御パラメータとして残されたまま、新たな制御パラメータが履歴保存部１２に保存される。履歴保存部１２には、過去の制御パラメータが過去の設定日に対応させて制御パラメータの変更履歴として保存される。
【００２１】
読み込み機能部１４は、パラメータ保存部１１に保存されている制御パラメータの情報及び履歴保存部１２に保存されている制御パラメータの変更履歴の情報を制御盤記憶部９から選択的に読み込み可能になっている。
【００２２】
制御盤７には図示しない制御盤コネクタが設けられ、設定装置２１には図示しない設定装置コネクタが設けられている。設定装置コネクタが制御盤コネクタに接続されたり外れたりすることにより、設定装置２１が制御盤７に着脱される。
【００２３】
設定装置２１は、設定装置コネクタを制御盤コネクタに接続した状態で、新たな制御パラメータをパラメータ保存部１１に書き込むことにより、新たな制御パラメータを制御盤７に設定する。また、設定装置２１は、設定装置記憶部２２と、設定装置処理部２３と、操作部２４と、表示部２５とを有している。
【００２４】
設定装置記憶部２２は、制御盤７に設定する複数の制御パラメータが設定用パラメータとして保存されるパラメータ保存部２６と、制御パラメータの変更履歴が保存される履歴保存部２７とを有している。
【００２５】
設定装置処理部２３は、制御盤記憶部９に保存されている情報を、制御基板８の読み込み機能部１４を通して制御盤情報として設定装置２１に読み込む読み込み機能部２９と、パラメータ保存部２６に保存されている設定用パラメータを、制御基板８の書き込み機能部１３を通して制御盤記憶部９に書き込む書き込み機能部３０とを有している。
【００２６】
読み込み機能部２９は、制御基板８のパラメータ保存部１１に保存されている制御パラメータの情報を制御盤情報として設定装置２１に読み込むパラメータ読み込み機能部３１と、制御基板８の履歴保存部１２に保存されている制御パラメータの変更履歴の情報を制御盤情報として設定装置２１に読み込む履歴読み込み機能部３２とを有している。
【００２７】
履歴保存部２７には、制御基板８の履歴保存部１２から設定装置２１に読み込まれた制御パラメータの変更履歴の情報が制御盤情報として保存される。従って、履歴保存部２７には、過去の制御パラメータと過去の設定日とを関係付けた制御パラメータの変更履歴の情報が保存される。
【００２８】
操作部２４は、図２に示すように、複数の操作キー３３を有している。操作キー３３としては、数値を入力するためのテンキー、表示部２５で表示されるカーソルを移動させるための方向キー、入力内容を解除するためのキャンセルキー、及び入力内容を確定するためのエンタキー等が用いられている。設定装置処理部２３は、操作部２４が操作されることにより操作部２４の操作に応じた処理を行う。
【００２９】
パラメータ保存部２６には、制御基板８のパラメータ保存部１１から設定装置２１に読み込まれた制御盤情報である制御パラメータの情報が設定用パラメータとして保存される。パラメータ保存部２６に設定用パラメータとして保存されている制御パラメータの情報は、操作部２４の操作により変更可能になっている。即ち、パラメータ保存部２６では、新たな制御パラメータが操作部２４の操作によってパラメータ保存部２６に保存されることにより、変更前の制御パラメータから新たな制御パラメータに書き換えられ、変更後の新たな制御パラメータが設定用パラメータとして保存される。パラメータ保存部２６には、履歴保存部２７に制御盤情報として保存されている制御パラメータの変更履歴に含まれる過去の制御パラメータが設定用パラメータとして保存されたり、パラメータ保存部２６に保存されている制御パラメータの情報を変更した変更後の新たな制御パラメータが設定用パラメータとして保存されたりする。
【００３０】
表示部２５は、操作部２４の操作に応じた情報を表示する。従って、表示部２５には、例えば、パラメータ保存部２６に保存されている情報、履歴保存部２７に保存されている情報、及び操作部２４の操作で入力した値の情報等が表示可能になっている。なお、パラメータ設定システムは、制御盤７及び設定装置２１を有している。
【００３１】
次に、設定装置２１によって制御パラメータを制御盤７に設定するときのパラメータ設定方法について説明する。パラメータ設定方法としては、履歴保存部１２に保存されている制御パラメータの変更履歴に基づいて新たな制御パラメータを制御盤７に設定する方法と、パラメータ保存部１１に保存されている各制御パラメータに基づいて新たな制御パラメータを設定する方法とが用いられる。
【００３２】
まず、履歴保存部１２に保存されている制御パラメータの変更履歴の情報に基づいて新たな制御パラメータを制御盤７に設定する方法について説明する。エスカレータでは、例えば混雑期に自動運転の継続時間を長くし、閑散期になると無駄な運転を少なくするために自動運転の継続時間を元に戻して短くすることがある。また、エスカレータでは、油の蒸発量の変化を考慮して夏に給油間隔の設定時間を短くし、冬になると給油間隔の設定時間を元に戻して長くすることもある。このように、エスカレータの利用状況及びエスカレータの周囲の環境等の変化によって、制御盤７の制御パラメータを過去の制御パラメータに戻す場合がある。この場合には、履歴保存部１２に保存されている制御パラメータの変更履歴の情報に基づいて新たな制御パラメータを制御盤７に設定することにより、制御盤７の制御パラメータを更新する。
【００３３】
履歴保存部１２に保存されている制御パラメータの変更履歴の情報に基づいて新たな制御パラメータを制御盤７に設定するときには、まず、設定装置コネクタを制御盤コネクタに接続して設定装置２１を制御盤７に取り付けた後、制御盤７の電源を入れる。この後、表示部２５に表示された「パラメータ履歴の読み込み」の選択肢を、操作部２４を操作して選択する。これにより、読み込み機能部１４を通して制御基板８の履歴保存部１２から設定装置２１に制御パラメータの変更履歴の情報が読み込まれ、設定装置２１の履歴保存部２７に制御パラメータの変更履歴の情報が制御盤情報として保存される。なお、制御盤７の電源を入れたときに、操作部２４の操作をしなくても、制御パラメータの変更履歴の情報が制御盤情報として制御基板８から設定装置２１に自動的に読み込まれるようにしてもよい。
【００３４】
この後、表示部２５に表示された「パラメータ履歴からの設定」の選択肢を、操作部２４を操作して選択する。これにより、履歴保存部２７に保存されている制御盤情報に含まれている過去の設定日が表示部２５に表示される。
【００３５】
この後、表示部２５に表示されている過去の設定日のうち、元に戻したい過去の制御パラメータの設定日を、操作部２４を操作して選択する。これにより、履歴保存部２７に保存されている制御盤情報に含まれる過去の制御パラメータのうち、選択した過去の設定日に対応する過去の制御パラメータが表示部２５に表示される。
【００３６】
この後、表示部２５に表示されている過去の制御パラメータを、操作部２４を操作して設定用パラメータとして確定する。このとき、設定用パラメータとして確定する前に、過去の複数の制御パラメータの一部の値を操作部２４の操作により変更した後、変更後の新たな制御パラメータを設定用パラメータとして確定してもよい。これにより、設定装置２１で確定した過去の制御パラメータが、パラメータ保存部２６に設定用パラメータとして書き込まれるとともに、設定装置２１の書き込み機能部３０及び制御基板８の書き込み機能部１３を通して制御基板８のパラメータ保存部１１に書き込まれる。これにより、過去の制御パラメータが新たな制御パラメータとして制御盤７に設定される。
【００３７】
次に、パラメータ保存部１１に保存されている制御パラメータに基づいて新たな制御パラメータを設定する方法について説明する。パラメータ保存部１１に保存されている制御パラメータに基づいて新たな制御パラメータを制御盤７に設定するときには、まず、制御パラメータの変更履歴からの設定と同様に、設定装置コネクタを制御盤コネクタに接続して設定装置２１を制御盤７に取り付けた後、制御盤７の電源を入れる。この後、表示部２５に表示された「制御パラメータの読み込み」の選択肢を、操作部２４を操作して選択する。これにより、制御基板８の読み込み機能部１４を通して制御基板８のパラメータ保存部１１から設定装置２１に現在の各制御パラメータが制御盤情報として読み込まれ、制御盤情報である現在の制御パラメータの情報が設定装置２１のパラメータ保存部２６に設定用パラメータとして保存される。なお、制御盤７の電源を入れたときに、操作部２４の操作をしなくても、現在の制御パラメータの情報が制御盤情報として制御基板８から設定装置２１に自動的に読み込まれるようにしてもよい。
【００３８】
この後、表示部２５に表示された「制御パラメータの変更」の選択肢を、操作部２４を操作して選択する。これにより、複数の制御パラメータが、互いに異なる番号に対応した状態で表示部２５に表示される。
【００３９】
この後、複数の制御パラメータのうち、変更する制御パラメータを操作部２４の操作によって選択し、変更後の値を操作部２４の操作によって入力する。このとき、２つ以上の制御パラメータの値を変更する場合には、制御パラメータの選択操作及び変更後の値の入力操作を制御パラメータごとに繰り返す。
【００４０】
この後、制御パラメータの変更の入力が完了すると、操作部２４を操作して、変更後の新たな制御パラメータを設定用パラメータとして確定する。これにより、設定装置２１で確定した変更後の新たな制御パラメータが、パラメータ保存部２６に設定用パラメータとして保存されるとともに、設定装置２１の書き込み機能部３０及び制御基板８の書き込み機能部１３を通してパラメータ保存部１１に書き込まれる。これにより、各制御パラメータの一部の値を変更した変更後の新たな制御パラメータが制御盤７に設定される。
【００４１】
このようなパラメータ設定システムでは、制御パラメータの変更履歴の情報が制御盤記憶部９に保存可能になっており、設定装置２１が、制御パラメータの変更履歴の情報を制御盤情報として制御盤記憶部９から読み込む読み込み機能部２９と、制御盤情報に含まれる過去の制御パラメータが、制御盤７に設定する設定用パラメータとして保存される設定装置記憶部２２とを有しているので、例えば制御盤７に設定されている現在の制御パラメータを過去の制御パラメータに戻す変更をする場合に、制御パラメータの変更履歴の情報を利用することができる。これにより、設定装置２１に制御パラメータの値を手操作で入力する作業をなくすことができ、制御盤７に制御パラメータを設定する作業の手間の軽減化を図ることができる。また、設定装置２１に制御パラメータの値を手操作で入力する必要がなくなるので、例えば制御パラメータの入力間違いが生じたり、複数の制御パラメータの一部を変更し忘れたりすることを防止することができ、制御盤７に新たな制御パラメータをより正確に設定することができる。
【００４２】
また、制御盤記憶部９のパラメータ保存部１１に保存されている各制御パラメータが読み込み機能部２９によって制御盤情報として設定装置２１に読み込まれ、設定装置記憶部２２のパラメータ保存部２６に設定用パラメータとして保存されている制御盤情報である各制御パラメータの一部の値が操作部２４の操作により変更可能になっているので、制御盤７に設定されている現在の制御パラメータの一部を変更する場合に、制御盤記憶部９に保存されている制御盤情報を利用することができる。これにより、制御盤７に制御パラメータを設定する作業の手間の軽減化を図ることができるとともに、制御盤７に変更後の新たな制御パラメータをより正確に設定することができる。
【００４３】
また、このようなパラメータ設定方法では、制御盤記憶部９に保存されている制御パラメータの変更履歴の情報を制御盤情報として制御盤７から設定装置２１へ読み込んだ後、制御盤情報に含まれる過去の制御パラメータを、制御盤７に設定する設定用パラメータとして設定装置記憶部２２に保存するので、例えば制御盤７に設定されている現在の制御パラメータを過去の制御パラメータに戻す変更をする場合に、制御パラメータの変更履歴の情報を利用することができる。これにより、制御盤７に制御パラメータを設定する作業の手間の軽減化を図ることができる。また、例えば制御パラメータの入力間違いが生じたり、複数の制御パラメータの一部を変更し忘れたりすることも防止することができるので、制御盤７に新たな制御パラメータをより正確に設定することができる。
【００４４】
実施の形態２．
図４は、この発明の実施の形態２によるパラメータ設定システムを示す構成図である。制御盤７には、送受信部４１が設けられている。設定装置２１には、送受信部４２が設けられている。制御盤７から設定装置２１へ送られる制御盤情報（即ち、制御パラメータの情報及び制御パラメータの変更履歴の情報）と、設定装置２１から制御盤７へ送られる設定用パラメータの情報とは、送受信部４１と送受信部４２との間で無線通信可能になっている。これにより、制御盤７及び設定装置２１は、制御パラメータの情報、制御パラメータの変更履歴の情報、及び設定用パラメータの情報を無線通信により互いに送受信可能になっている。他の構成及び制御盤７への制御パラメータの設定の手順は、実施の形態１と同様である。
【００４５】
このように、制御盤７及び設定装置２１は、制御パラメータの情報、制御パラメータの変更履歴の情報、及び設定用パラメータの情報を無線通信により互いに送受信可能になっているので、制御盤７から離れた場所で設定装置２１を操作しながら、制御盤７に新たな制御パラメータを設定することができる。これにより、設定装置２１をわざわざ制御盤７に取り付ける手間をなくすことができ、制御盤７に制御パラメータを設定する作業の手間をさらに軽減させることができる。
【００４６】
実施の形態３．
図５は、この発明の実施の形態３によるパラメータ設定システムを示す構成図である。制御盤７には、送受信部４３が設けられている。設定装置２１には、送受信部４４が設けられている。送受信部４３及び送受信部４４は、通信ケーブル４５を介して接続されている。通信ケーブル４５としては、例えばＬＡＮケーブル等が用いられている。制御パラメータの情報、制御パラメータの変更履歴の情報、及び設定用パラメータの情報は、送受信部４３と送受信部４４との間で通信ケーブル４５を介して通信可能になっている。これにより、制御盤７及び設定装置２１は、制御パラメータの情報、制御パラメータの変更履歴の情報、及び設定用パラメータの情報を通信ケーブル４５により互いに送受信可能になっている。他の構成及び制御盤７への制御パラメータの設定の手順は、実施の形態１と同様である。
【００４７】
このように、制御盤７及び設定装置２１は、制御パラメータの情報、制御パラメータの変更履歴の情報、及び設定用パラメータの情報を通信ケーブル４５により互いに送受信可能になっているので、制御盤７から離れた場所で設定装置２１を操作することができ、制御盤７に制御パラメータを設定する作業の手間をさらに軽減させることができる。また、制御盤７と設定装置２１との間での情報の送受信をより確実に行うことができる。
【００４８】
実施の形態４．
図６は、この発明の実施の形態４によるパラメータ設定システムを示す構成図である。本実施の形態では、複数のエスカレータの運転を個別に制御する複数の制御盤７がパラメータ設定システムに含まれている。この例では、２台のエスカレータが建物に設置されており、２台のエスカレータの運転を個別に制御する２個の制御盤７がパラメータ設定システムに含まれている。各制御盤７及び設定装置２１の構成は、実施の形態１と同様である。
【００４９】
この例では、各制御盤７のいずれか一方が基準制御盤とされ、基準制御盤以外の他方の制御盤７が非基準制御盤とされている。基準制御盤である一方の制御盤７の制御盤記憶部９には、制御パラメータの情報と、制御パラメータの変更履歴の情報とが保存されている。
【００５０】
設定装置２１は、基準制御盤である一方の制御盤７の制御盤記憶部９に保存されている制御パラメータの情報を制御盤情報としてパラメータ読み込み機能部３１によって読み込み可能になっており、一方の制御盤７の制御盤記憶部９に保存されている制御パラメータの変更履歴の情報を制御盤情報として履歴読み込み機能部３２によって読み込み可能になっている。また、設定装置２１の履歴保存部２７には、一方の制御盤７から読み込んだ制御パラメータの変更履歴の情報が保存される。さらに、設定装置２１のパラメータ保存部２６には、一方の制御盤７から制御盤情報として読み込んだ制御パラメータ、又は実施の形態１と同様にして得られた新たな制御パラメータが、各制御盤７に設定する共通の設定用パラメータとして保存される。
【００５１】
非基準制御盤である他方の制御盤７のパラメータ保存部１１には、設定装置２１のパラメータ保存部２６に共通の設定用パラメータとして保存されている制御パラメータが、設定装置２１によって書き込まれている。他の構成は実施の形態１と同様である。
【００５２】
次に、設定装置２１によって制御パラメータを各制御盤７に設定するときのパラメータ設定方法について説明する。基準制御盤である一方の制御盤７の制御盤記憶部９には、制御パラメータの情報及び制御パラメータの変更履歴の情報が保存されている。一方の制御盤７に設定されている制御パラメータは、実施の形態１と同様にして設定装置２１によって変更してもよいし、設定装置２１による変更を行わなくてもよい。
【００５３】
一方の制御盤７に設定されている制御パラメータを設定装置２１によって変更する場合には、制御パラメータの情報又は制御パラメータの変更履歴の情報を制御盤情報として一方の制御盤７から設定装置２１に読み込んで、実施の形態１と同様にして制御盤情報から得られた新たな制御パラメータを、各制御盤７に設定する共通の設定用パラメータとして設定装置２１のパラメータ保存部２６に保存する。この後、共通の設定用パラメータとしてパラメータ保存部２６に保存されている制御パラメータを制御基板８のパラメータ保存部１１に書き込む。これにより、共通の設定用パラメータである新たな制御パラメータが一方の制御盤７に設定される。
【００５４】
一方の制御盤７に設定されている制御パラメータを変更しない場合には、一方の制御盤７に設定されている制御パラメータの情報を制御盤情報として一方の制御盤７から設定装置２１に読み込んで、読み込んだ制御盤情報に含まれる各制御パラメータをそのまま、各制御盤７に設定する共通の設定用パラメータとして設定装置２１のパラメータ保存部２６に保存する。
【００５５】
この後、設定装置２１によって非基準制御盤である他方の制御盤７に制御パラメータを設定する。他方の制御盤７に制御パラメータを設定するときには、設定装置２１を一方の制御盤７から外して他方の制御盤７に繋ぎかえた後、他方の制御盤７の電源を入れる。
【００５６】
この後、設定装置２１の表示部２５に表示された「パラメータの全書き込み」の選択肢を、操作部２４を操作して選択する。これにより、設定装置２１のパラメータ保存部２６に共通の設定用パラメータとして保存されている制御パラメータが他方の制御盤７の制御盤記憶部９のパラメータ保存部１１に書き込まれる。これにより、各制御盤７に共通の制御パラメータが他方の制御盤７に設定される。
【００５７】
このようなパラメータ設定システムでは、複数の制御盤７のいずれかの制御盤記憶部９から制御盤情報として読み込んだ制御パラメータの情報又は制御パラメータの変更履歴の情報から得られた新たな制御パラメータ、又は複数の制御盤７のいずれかの制御盤記憶部９から読み込んだ制御盤情報に含まれる制御パラメータが、各制御盤７に共通の設定用パラメータとして設定装置２１の設定装置記憶部２２に保存されるので、各制御盤７のいずれかに設定されている制御パラメータの情報又は制御パラメータの変更履歴の情報を利用して、各制御盤７のそれぞれに制御パラメータを設定することができる。これにより、例えば同じ建物に複数台のエスカレータを設置し、複数の制御盤７に同じ制御パラメータを設定する場合、設定装置記憶部２２に保存されている共通の設定用パラメータをコピーして各制御盤７に書き込むことができる。これにより、制御パラメータを制御盤７ごとに手操作で設定する作業をなくすことができ、各制御盤７のそれぞれに制御パラメータを設定する作業の手間の軽減化を図ることができる。また、設定装置２１に制御パラメータの値を手操作で入力する必要がなくなるので、各制御盤７に制御パラメータをより正確に設定することができる。
【００５８】
また、このようなパラメータ設定方法では、複数の制御盤７のいずれかの制御盤記憶部９から制御パラメータの情報又は制御パラメータの変更履歴の情報を制御盤情報として設定装置２１に読み込んだ後、設定装置２１に読み込んだ制御盤情報から得られた新たな制御パラメータ、又は複数の制御盤７のいずれかの制御盤記憶部９から読み込んだ制御盤情報に含まれる制御パラメータを、各制御盤７に共通の設定用パラメータとして設定装置２１の設定装置記憶部２２に保存するので、各制御盤７のいずれかに設定されている複数の制御パラメータの情報又は制御パラメータの変更履歴の情報を利用して、各制御盤７のそれぞれに制御パラメータを設定することができる。これにより、複数の制御盤７に同じ制御パラメータを設定する場合、設定装置記憶部２２に保存されている共通の設定用パラメータをコピーして各制御盤７に書き込むことができ、各制御盤７のそれぞれに制御パラメータを設定する作業の手間の軽減化を図ることができる。また、設定装置２１に制御パラメータの値を手操作で入力する必要がなくなるので、各制御盤７に制御パラメータをより正確に設定することができる。
【００５９】
実施の形態５．
図７は、この発明の実施の形態５によるパラメータ設定システムを示す構成図である。本実施の形態では、実施の形態４と同様に、複数のエスカレータの運転を個別に制御する複数の制御盤７がパラメータ設定システムに含まれている。この例では、２個の制御盤７がパラメータ設定システムに含まれている。
【００６０】
また、この例では、各制御盤７のいずれか一方が基準制御盤とされ、基準制御盤以外の他方の制御盤７が非基準制御盤とされている。基準制御盤である一方の制御盤７の制御盤記憶部９には、制御パラメータの情報と、制御パラメータの変更履歴の情報とが保存されている。
【００６１】
設定装置２１は、基準制御盤である一方の制御盤７の制御盤記憶部９に保存されている制御パラメータの情報を制御盤情報としてパラメータ読み込み機能部３１によって読み込み可能になっており、一方の制御盤７の制御盤記憶部９に保存されている制御パラメータの変更履歴の情報を制御盤情報として履歴読み込み機能部３２によって読み込み可能になっている。また、設定装置２１の履歴保存部２７には、一方の制御盤７から読み込んだ制御パラメータの変更履歴の情報が保存される。さらに、設定装置２１のパラメータ保存部２６には、一方の制御盤７から読み込んだ制御パラメータの情報に含まれる制御パラメータ、又は実施の形態１と同様にして得られた新たな制御パラメータが、各制御盤７に設定する共通の設定用パラメータとして保存される。
【００６２】
複数の制御盤７のそれぞれには、送受信部４６が設けられている。各送受信部４６は、通信ケーブル４７を介して互いに接続されている。通信ケーブル４７としては、例えばＬＡＮケーブル等が用いられている。設定装置記憶部２２に共通の設定用パラメータとして保存されている制御パラメータの情報は、各送受信部４６間で通信ケーブル４７を介して通信可能になっている。これにより、複数の制御盤７は、設定用パラメータの情報を通信ケーブル４７により互いに送受信可能になっている。
【００６３】
非基準制御盤である他方の制御盤７のパラメータ保存部１１には、設定装置２１のパラメータ保存部２６に共通の設定用パラメータとして保存されている制御パラメータが、設定装置２１によって書き込まれている。他の構成は実施の形態１と同様である。
【００６４】
次に、設定装置２１によって制御パラメータを各制御盤７に設定するときのパラメータ設定方法について説明する。まず、基準制御盤である一方の制御盤７に設定されている制御パラメータの情報を設定装置２１に読み込んで、実施の形態４と同様にして得られた制御パラメータを、各制御盤７に設定する共通の設定用パラメータとして設定装置２１のパラメータ保存部２６に保存する。
【００６５】
この後、設定装置２１の表示部２５に表示された「パラメータの全書き込み」の選択肢を、操作部２４を操作して選択する。これにより、設定装置２１のパラメータ保存部２６に設定用パラメータとして保存されている制御パラメータが、一方の制御盤７のパラメータ保存部１１に書き込まれる。このとき、共通の設定用パラメータの情報が、一方の制御盤７から他方の制御盤７へ通信ケーブル４７を介して送られ、他方の制御盤７のパラメータ保存部１１にも、一方の制御盤７の制御パラメータと同じ制御パラメータが書き込まれる。これにより、共通の設定用パラメータが各制御盤７に設定される。
【００６６】
このようなパラメータ設定システムでは、複数の制御盤７が、共通の設定用パラメータの情報を互いに送受信可能になっているので、複数の制御盤７のいずれかに設定装置２１から設定用パラメータの情報を送るだけで、設定用パラメータの情報を他の制御盤７にも送ることができ、共通の設定用パラメータをすべての制御盤７に設定することができる。これにより、各制御盤７のそれぞれに制御パラメータを設定する作業の手間の軽減化をさらに図ることができるとともに、各制御盤７に制御パラメータをより正確に設定することができる。
【００６７】
実施の形態６．
図８は、この発明の実施の形態６によるパラメータ設定システムを示す構成図である。本実施の形態では、複数のエスカレータの運転を個別に制御する複数の制御盤７と、各制御盤７に個別に取り付けられた複数の設定装置２１とがパラメータ設定システムに含まれている。この例では、２個の制御盤７と、各制御盤７に個別に取り付けられた２個の設定装置２１とがパラメータ設定システムに含まれている。
【００６８】
また、この例では、各制御盤７のいずれか一方が基準制御盤とされ、基準制御盤以外の他方の制御盤７が非基準制御盤とされている。基準制御盤である一方の制御盤７の制御盤記憶部９には、制御パラメータの情報と、制御パラメータの変更履歴の情報とが保存されている。
【００６９】
各設定装置２１のうち、基準制御盤である一方の制御盤７に取り付けられている一方の設定装置２１は、一方の制御盤７の制御盤記憶部９に保存されている制御パラメータの情報を制御盤情報としてパラメータ読み込み機能部３１によって読み込み可能になっており、一方の制御盤７の制御盤記憶部９に保存されている制御パラメータの変更履歴の情報を制御盤情報として履歴読み込み機能部３２によって読み込み可能になっている。また、一方の設定装置２１の履歴保存部２７には、一方の制御盤７から読み込んだ制御パラメータの変更履歴の情報が保存される。さらに、一方の設定装置２１のパラメータ保存部２６には、一方の制御盤７から読み込んだ制御パラメータの情報に含まれる制御パラメータ、又は実施の形態１と同様にして得られた新たな制御パラメータが、各制御盤７に設定する共通の設定用パラメータとして保存される。
【００７０】
各設定装置２１のそれぞれには、送受信部４８が設けられている。各送受信部４８は、通信ケーブル４９を介して互いに接続されている。通信ケーブル４９としては、例えばＬＡＮケーブル等が用いられている。設定装置記憶部２２に共通の設定用パラメータとして保存されている制御パラメータの情報は、各送受信部４８間で通信ケーブル４９を介して通信可能になっている。これにより、複数の制御盤７は、設定用パラメータの情報を通信ケーブル４９により互いに送受信可能になっている。
【００７１】
非基準制御盤である他方の制御盤７のパラメータ保存部１１には、一方の設定装置２１のパラメータ保存部２６に共通の設定用パラメータとして保存されている制御パラメータが、設定装置２１によって書き込まれている。他の構成は実施の形態１と同様である。
【００７２】
次に、設定装置２１によって制御パラメータを各制御盤７に設定するときのパラメータ設定方法について説明する。まず、基準制御盤である一方の制御盤７に設定されている制御パラメータの情報を制御盤情報として設定装置２１に読み込んで、実施の形態４と同様にして制御盤情報から得られた制御パラメータを、各制御盤７に設定する共通の設定用パラメータとして設定装置２１のパラメータ保存部２６に保存する。
【００７３】
この後、設定装置２１の表示部２５に表示された「パラメータの全書き込み」の選択肢を、操作部２４を操作して選択する。これにより、一方の設定装置２１のパラメータ保存部２６に保存されている共通の設定用パラメータが、一方の制御盤７へ送られるとともに、通信ケーブル４９及び他方の設定装置２１を介して他方の制御盤７へも送られる。これにより、共通の設定用パラメータが各制御盤７に設定される。
【００７４】
このようなパラメータ設定システムでは、複数の制御盤７に個別に取り付けられている複数の設定装置２１が、設定用パラメータの情報を互いに送受信可能になっているので、設定装置２１を制御盤７に対して繋ぎ変えずに、複数の設定装置２１のいずれかからすべての制御盤７へ設定用パラメータの情報を送ることができ、共通の設定用パラメータをすべての制御盤７に設定することができる。これにより、各制御盤７のそれぞれに制御パラメータを設定する作業の手間の軽減化をさらに図ることができるとともに、各制御盤７に制御パラメータをより正確に設定することができる。
【００７５】
なお、実施の形態４〜６では、２個の制御盤７がパラメータ設定システムに含まれているが、３個以上の制御盤７がパラメータ設定システムに含まれていてもよい。この場合、各制御盤７のいずれか１つから、制御パラメータの情報又は制御パラメータの変更履歴の情報が設定装置２１によって読み込まれ、設定装置２１に保存されている共通の設定用パラメータが各制御盤７に書き込まれる。
【００７６】
また、実施の形態４〜６では、設定装置２１を制御盤７に取り付けることにより、制御パラメータの情報、制御パラメータの変更履歴の情報及び設定用パラメータの情報を制御盤７と設定装置２１との間で送受信するようになっているが、実施の形態２と同様に、制御パラメータの情報、制御パラメータの変更履歴の情報、及び設定用パラメータの情報を制御盤７と設定装置２１との間で無線通信により送受信可能にしてもよいし、実施の形態３と同様に、制御パラメータの情報、制御パラメータの変更履歴の情報、及び設定用パラメータの情報を制御盤７と設定装置２１との間で通信ケーブルにより送受信可能にしてもよい。
【００７７】
また、実施の形態３、５及び６では、情報の通信が通信ケーブルによって行われているが、通信ケーブルに代えて情報の通信を無線通信によって行ってもよい。
【００７８】
また、各上記実施の形態では、操作部２４の操作に応じて設定装置処理部２３の各機能部３０〜３２の機能を実行するようになっているが、通信による遠隔操作によって設定装置処理部２３の各機能部３０〜３２の機能を実行するようにしてもよい。
【００７９】
また、各上記実施の形態では、エスカレータにこの発明が適用されているが、乗客コンベヤである動く歩道にこの発明を適用してもよい。
【図１】
2017009894.tif 000003
【図２】
2017009894.tif 000004
【図３】
2017009894.tif 000005
【図４】
2017009894.tif 000006
【図５】
2017009894.tif 000007
【図６】
2017009894.tif 000008
【図７】
2017009894.tif 000009
【図８】
2017009894.tif 000010
【手続補正書】
【提出日】平成29年6月15日(2017.6.15)
【手続補正２】
【補正対象書類名】特許請求の範囲
【補正対象項目名】全文
【補正方法】変更
【補正の内容】
【特許請求の範囲】
【請求項１】
乗客コンベヤを制御する制御盤、及び
乗客コンベヤの制御に関する制御パラメータを前記制御盤に設定する設定装置
を備え、
前記制御盤は、制御盤記憶部を有し、
前記設定装置は、前記制御盤記憶部に保存されている制御パラメータの変更履歴の情報を制御盤情報として読み込む読み込み機能部と、前記制御盤情報に含まれる過去の制御パラメータが、前記制御盤に設定する設定用パラメータとして保存される設定装置記憶部とを有し、
複数の前記制御盤
を備え、
前記読み込み機能部は、各前記制御盤記憶部のいずれかに保存されている前記制御盤情報を前記設定装置に読み込み、
前記設定装置記憶部には、前記過去の制御パラメータが、各前記制御盤に設定する共通の前記設定用パラメータとして保存され、
前記複数の制御盤には、前記設定装置がそれぞれ取り付けられ、
各前記設定装置は、前記設定用パラメータの情報を互いに送受信可能になっているパラメータ設定システム。
【請求項２】
複数の乗客コンベヤを個別に制御する複数の制御盤、及び
乗客コンベヤの制御に関する制御パラメータを各前記制御盤に設定する設定装置
を備え、
各前記制御盤は、制御盤記憶部を有し、
前記設定装置は、各前記制御盤記憶部のいずれかに保存されている制御パラメータの情報を制御盤情報として読み込む読み込み機能部と、前記制御盤情報に含まれる制御パラメータが、各前記制御盤に設定する共通の設定用パラメータとして保存される設定装置記憶部とを有し、
前記複数の制御盤には、前記設定装置がそれぞれ取り付けられ、
各前記設定装置は、前記設定用パラメータの情報を互いに送受信可能になっているパラメータ設定システム。
【国際調査報告】
2017009894.tif 000011
2017009894.tif 000012
2017009894.tif 000013
2017009894.tif 000014